(57)【要約】【課題】薬品が接触する室内空気と、その部屋の外部の空気とを完全に切断することが必要な薬品研究室などに消火用放射ヘッドを設けても、室内空気と、外部の空気とが消火用放射ヘッドを介して流通することがない消火装置を提供することを目的とする。【解決手段】建築物天井４に気密に取り付けたボディ２に対し着脱可能であり、装着時、平常は消火用放射ヘッド３を被うとともに消火用放射ヘッドを介して連通する室内と室外との空気を気密に遮断した状態を安定に維持し、異常感知によって送出される消火用流体の圧力で離脱する密封カバー１３を設ける。【選択図】        図１
2004275260.tif 000002
【特許請求の範囲】
【請求項１】
室外の消火用流体供給源に連通する配管と、前記配管に連なり室内に向けて開口する消火用放射ヘッドとを備えて建築物天井に気密に取り付けたボディに対し着脱可能であり、装着時、平常は前記消火用放射ヘッドを被うとともに前記消火用放射ヘッドを介して連通する室内と室外との空気を気密に遮断し、異常感知によって送出される前記消火用流体の圧力で離脱することを特徴とする消火用放射ヘッド密封カバー。
【請求項２】
ボディを建築物天井に気密に取り付ける手段は、ボディ端部のフランジ部と、ボディ外周のネジに螺合するナットとで挟持する建築物天井の上下面との間にそれぞれ設けるシールパッキン部材によるものであり、
密封カバー装着時、平常は消火用放射ヘッドを被うとともに前記消火用放射ヘッドを介して連通する室内と室外との空気を気密に遮断し、異常感知によって送出される消火用流体の圧力で離脱する手段は、
ボディの円筒状内径部又は外径部に形成したリング状の溝に配置したＯリングと、装着時これに密着する密封カバー外周面又は内周面との間の摩擦力及び／又はボディ側面から内径又は外径に向け、バネで付勢される押さえピン又は球体を設け、密封カバー外周面又は内周面に、前記押さえピン先端又は球体の一部に係合する凹部を形成し、この両者の係合による係止力により平常時装着状態が保持され、異常時、異常感知によって送出される前記消火用流体の圧力が密封カバー内圧を上昇させることによって前記摩擦力及び係止力に抗して離脱するものであることを特徴とする請求項１に記載の消火用放射ヘッド密封カバー。
【請求項３】
ボディを建築物天井に気密に取り付ける手段は、ボディ端部のフランジ部と、ボディ外周のネジに螺合するナットとで挟持する建築物天井の上下面との間にそれぞれ設けるシールパッキン部材によるものであり、
密封カバー装着時、平常は消火用放射ヘッドを被うとともに前記消火用放射ヘッドを介して連通する室内と室外との空気を気密に遮断し、異常感知によって送出される消火用流体の圧力で離脱する手段は、
密封カバー端部に、両側にスリットを形成することによって弾性が付与され、先端に凸部を設けた長手の爪状部を複数箇所設け、ボディ内周面又は外周面に、前記爪状部の凸部に係合する凹部を形成し、この両者の係合による係止力により平常時装着状態が保持され、異常時、異常感知によって送出される前記消火用流体の圧力が密封カバー内圧を上昇させることによって前記係止力に抗して離脱するものであることを特徴とする請求項１に記載の消火用放射ヘッド密封カバー。
【発明の詳細な説明】
【０００１】
【発明の属する技術分野】
本発明は、消火装置に関し、特に建築物の天井等に固定して備える消火装置に関する。
【０００２】
【従来の技術】
従来、建築物の天井等に固定して備える消火装置として、いわゆるスプリンクラー型の装置が知られている。このような装置の消火用放射ヘッドは天井に露出又はカバー付きとして取り付けられている。図１１にその概略の構造を示す。泡、ＣＯ２、粉末、不活性ガス、あるいは水等の消火用流体が図示しない供給源から１次配管２１によって供給され、接続継手２２を経て放射ヘッド２３から必要時放射されるようになっている。２４は装置を取り付ける天井、２５は装置と天井２４との間隙を被うカバーである。図示しない感知装置によって火災などが検知されると、図示しない送出装置が作動して、泡、ＣＯ２、粉末、不活性ガス、あるいは水等の消火用流体が図示しない供給源から送出され、１次配管２１に放射すべき流体が流入し、放射ヘッド２３から室内等へ向け放射される構造である。
【０００３】
【発明が解決しようとする課題】
建築物の中で薬品研究室、薬品製造室などにおいては、取り扱う薬品によっては、該薬品が接触する室内空気と、その部屋の外部の空気とを完全に遮断することが必要な場合がある。従ってこのような薬品研究室などに消火用放射ヘッドを設けた場合、室内と室外との空気が消火用放射ヘッドを介して流通しないことが要求されている。しかしながら、前記したような従来の消火装置においては消火用放射ヘッドの部分で室内と室外を完全に遮断する密封構造になっていないので、薬品が接触する室内空気と、その部屋の外部の空気とを完全に遮断することが必要な場合には消火装置を設置することができなかった。
本発明は、このような、薬品が接触する室内空気と、その部屋の外部の空気とを完全に遮断することが必要な場合でも設置が可能な消火装置を提供することを目的とする。
【０００４】
【課題を解決するための手段】
この課題を解決するために本発明は、建築物天井に気密に取り付けたボディに対し着脱可能であり、装着時、平常は消火用放射ヘッドを被うとともに消火用放射ヘッドを介して連通する室内と室外との空気を気密に遮断した状態を安定に維持し、異常感知によって送出される消火用流体の圧力で離脱する密封カバーを設けるように構成したものである。これにより、薬品が接触する室内空気と、その部屋の外部の空気とを完全に遮断することが必要な場合でも設置が可能な消火装置が得られる。
【０００５】
消火用ヘッドを天井に取り付けるにはベースとなるボディを介する必要がある。そしてこのボディにはフランジ状の部分を延設しておき、これと別体のナットとでシールパッキン部材を用いて天井板を挟むようにして締め付け、取り付ける。また、ボディに取り付けた消火ヘッドを被う密封カバーはボディに対して着脱可能であり、ボディの円筒状内径部又は外径部に形成したリング状の溝に配置した弾性材で形成するＯリングと、装着時これに密着する密封カバー外周面又は内周面との間の摩擦力で気密を維持し及び／又はボディ側面から内径又は外径部に向け、バネで付勢される押さえピン又は球体を設け、密封カバー外周面又は内周面に、この押さえピン先端又は球体の一部に係合する凹部を形成し、この両者の係合による係止力によって気密が維持されつつ、平常時の装着状態が保持される。そして火災等の異常時、異常感知装置によって送出される消火用流体の圧力が密封カバー内圧を上昇させることによって、密封カバーが摩擦力及び係止力に抗して離脱するようにした。
【０００６】
密封カバーは、密封カバー端部に爪状の部分を設け、これとボディ側に設けた凹部との係合によって平常時の装着状態を保持するようにしてもよい。これには密封カバーの端部に、両側にスリットを形成することによって弾性が付与され、先端に凸部を設けた長手の爪状部を複数箇所設ける。一方、ボディ内周面又は外周面に、密封カバー側の爪状部の凸部に係合する凹部を形成し、この両者の係合による係止力により平常時装着状態が保持され、異常時、異常感知によって送出される消火用流体の圧力が密封カバー内圧を上昇させることによって係止力に抗して離脱するようにする。
【０００７】
【発明の実施の形態】
本発明の請求項１に記載の発明は、室外の消火用流体供給源に連通する配管と、前記配管に連なり室内に向けて開口する消火用放射ヘッドとを備えて建築物天井に気密に取り付けたボディに対し着脱可能であり、装着時、平常は前記消火用放射ヘッドを被うとともに前記消火用放射ヘッドを介して連通する室内と室外との空気を気密に遮断し、異常感知によって送出される前記消火用流体の圧力で離脱する消火用放射ヘッド密封カバーとしたものであり、平常は消火用放射ヘッドが密封カバーによって密封されているので、室内と室外との空気を、消火用放射ヘッドを介して連通させることがなく、異常時には密封カバーが自動的に離脱し消火用ヘッドから消火用流体が放射されるので、従来設置できなかった薬品処理室などにも装置を設置することができるという作用を有する。
【０００８】
本発明の請求項２に記載の発明は、請求項１において、ボディを建築物天井に気密に取り付ける手段は、ボディ端部のフランジ部と、ボディ外周のネジに螺合するナットとで挟持する建築物天井の両面との間にそれぞれ設けるシールパッキン部材によるものであり、密封カバーの装着時、平常は消火用放射ヘッドを被うとともに前記消火用放射ヘッドを介して連通する室内と室外との空気を気密に遮断し、異常感知によって送出される消火用流体の圧力で離脱する手段は、ボディの円筒状内径部又は外径部に形成したリング状の溝に配置したＯリングと、装着時これに密着する密封カバー外周面又は内周面との間の摩擦力及び又はボディ側面から内径又外径に向け、バネで付勢される押さえピン又は球体を設け、密封カバー外周面又内周面に、前記押さえピン先端又は球体に係合する凹部を形成し、この両者の係合による係止力により平常時装着状態が保持され、異常時、異常感知によって送出される前記消火用流体の圧力が密封カバー内圧を上昇させることによって前記摩擦力及び係止力に抗して離脱する消火用放射ヘッド密封カバーとしたものであり、密封カバーが、平常時は安定に装着状態を維持して室内外間の気密を保ち、異常時には確実に離脱して消火用流体の放射を行なうことができるという作用を有する。
【０００９】
請求項３に記載の発明は、請求項１において、ボディを建築物天井に気密に取り付ける手段は、ボディ端部のフランジ部と、ボディ外周のネジに螺合するナットと、建築物天井両面との間にそれぞれ設けるシールパッキン部材とによるものであり、密封カバーの装着時、平常は消火用放射ヘッドを被うとともに前記消火用放射ヘッドを介して連通する室内と室外との空気を気密に遮断し、異常感知によって送出される消火用流体の圧力で離脱する手段は、密封カバー端部に両側にスリットを形成することによって弾性が付与され、先端に凸部を設けた長手の爪状部を複数箇所設け、ボディ内周面又は外周面に、前記爪状部の凸部に係合する凹部を形成し、この両者の係合による係止力により平常時装着状態が保持され、異常時、異常感知によって送出される前記消火用流体の圧力が密封カバー内圧を上昇させることによって前記係止力に抗して離脱するものである消火用放射ヘッド密封カバーとしたものであり、密封カバーが、平常時は安定に装着状態を維持して室内外間の気密を保ち、異常時には確実に離脱して消火用流体の放射を行なうことができるという作用を有する。
【００１０】
（実施の形態１）
実施の形態１は請求項１及び２に対応する。図１は本実施の形態１の断面図を示し、図１において、１は、鋼管からなり、泡、ＣＯ２、粉末、不活性ガス、あるいは水等の消火用流体が図示しない供給源から供給される１次側配管であり、２は後述の放射ヘッド部分を収容して基部となる、青銅または非鉄合金の鋳造品であるボディ、３は青銅または非鉄合金の鋳造品の放射ヘッド、４は装置を取り付ける建築物の天井である。ａは接続部２ａの内部室、ｂは密封カバー内室、ｃは室内空気環境、ｄは室外空気環境である。
【００１１】
ボディ２は短い円筒状で、上部は閉じた平面状であり、この部分に１次側配管１を接続するための円筒状の接続部２ａを貫通、上方へ突出させて備える。接続部２ａの内径にはネジが形成され、上方からは１次側配管１が、下方からは放射ヘッド３が、このネジを用いて取り付けられるようになっている。放射ヘッド３の構造については公知であるので詳述は省略する。
【００１２】
ボディ２の円筒状の外周面にはネジ２ｂが形成され、また、下方端部にはフランジ状に平面部２ｃが延設される。このネジ２ｂと平面部２ｃとを用いて天井４を挟持する形でボディ２を取り付ける。詳細は後述する。
【００１３】
１３は密封カバーである。プラスティックあるいは非鉄合金製で、ボディ２に取り付けた放射ヘッド３を覆うように下方へ膨出するドーム状であり、上方の端部寄りはストレートな円筒状部１３ａとなっていて、この部分でボディ２の内径のストレートな部分にぴったりと密着して取り付け得る形状である。なお、ボディ２の内径部の前記のストレートな部分は下方開口側をやや大径として段差部２ｈを設け、密封カバー１３を装着する際、位置決めをやりやすくしてある。
【００１４】
図２に拡大して要部の構造が説明されている。５、６はシールパッキンであり、合成ゴムで形成され、天井４の下面を、ボディ２の平面部２ｃ面にシールパッキン５を介して当接させ、天井４の上面にはシールパッキン６を載置し、ナット７をネジ２ｂに螺合させ、天井４を挟持する形で締め付けてボディ２を取り付ける。
【００１５】
ボディ２の側面には複数の押さえピン９が設けられる。図３にその配置を示す。押さえピン９は非鉄合金からなり、本実施の形態１では円筒状のボディ２の周囲に３箇所、等角度間隔で設けてある。再び図２に戻り、ボディ２の側面には外周面から内周面に向け貫通する小孔１２を形成し、この小孔１２の先端寄りは段差を設けてさらに小さい径の小小孔１２ａとなっている。又、小孔１２には内径面にネジ１２ｃが形成されている。
【００１６】
押さえピン９は丸みを持たせた先端部９ａを延設させたフランジ状の基部９ｂを備え、フランジ状の基部９ｂの外周面は小孔１２の内径面で摺動可として嵌合するようにし、先端部９ａは小小孔１２ａからボディ２の内壁面へ突出する構造である。１０は圧縮バネで、小孔１２のネジ１２ｃに螺合する止めネジ１１をねじ込むことによってこの圧縮バネ１０が押えピン９を付勢し、常時先端部９ａをボディ２の内壁面外へ突出させる。
【００１７】
８はゴム製のＯリングである。ボディ２の内周面壁にリング状に形成した溝２ｊ内に配置し、密封カバー１３の外周面の、ストレートな円筒状部１３ａに接して気密を保つ構造である。
【００１８】
密封カバー１３のストレートな円筒状部１３ａの外周面にはリング状の溝１３ｂが一周して形成される。この溝１３ｂには、密封カバー１３をボディ２に装着した場合、圧縮バネ１０により付勢されボディ２の内壁面へ突出する押えピン９の先端部９ａが入り込み、装着状態を安定に保持する構造である。
【００１９】
このような構造によってボディ２に対し密封カバー１３を装着時、平常は消火用放射ヘッド３を被うとともに消火用放射ヘッド３を介して連通する室内と室外との空気を気密に遮断することができる。また、Ｏリング８と密封カバー１３外周面１３ａとの摩擦と、圧縮バネ１０に付勢される押さえピン９と密封カバー１３の溝１３ｂとの係合力とによって装着、気密状態が安定に維持され、地震等の平均的な振動では密封カバー１３は離脱することがない。
【００２０】
そして、図示しない感知装置によって火災等の異常が感知され、図示しない消火用流体送出装置によって圧送される消火用流体は１次側配管１から接続部２の内部室ａを経て放射ヘッド３を通過し密封カバー内室ｂに流入する。
【００２１】
密封カバー内室ｂはＯリング８で室内空気環境ｃと遮断されているので、蓄圧された圧力は上昇してゆく。密封カバー内室ｂの圧力がＰに上昇すると密封カバー１３の外周面とＯリング８とが接触している面積をＡとした場合、密封カバー１３を下方へ押し下げる力Ｆ＝Ａ×Ｐが発生する。密封カバー１３をボディ２に装着させている力ＷはＯリング８の摺動抵抗力Ｗ１と圧縮バネ１０にて押さえピン９を押圧している力Ｗ２との和である。従って、密封カバー１３を下方へ押し下げる力Ｆが、密封カバー１３を装着している力Ｗよりも大きくなると密封カバー１３は下方へ移動し、押さえピン９の先端部９ａが溝１３ｂから外れて、密封カバー１３はボディ２から離脱し、下方へ落下し、消火流体が放射ヘッド３から放出されて消火作業が行われる。図４にこの状態を示す。
【００２２】
更に、前記実施の形態１に対応する構成を図７、図８を用いて説明する。図７、図８においては、前記図１、図２及び図３と押さえピン９の代りに、球体９０を利用した点と、摩擦面をボディ２の外周面と密封カバー１３の内周面との嵌合部とした点とが異なり、その他の同一符号は同一部である。図７、図８の９０は球体で、この球体９０の突出量は押さえ板１２０ｃの孔によって規制される。このような構造は図８に示すようにボディ２の外周面に複数固設ける。
【００２３】
前記図１、図２及び図３におけるボディ２と密封カバー１３との嵌合部の摩擦面はボディ２の外周面と密封カバー１３の内周面との嵌合部としても同様の機能を得ることができる。又、図７、図８におけるボディ２と密封カバー１３との摩擦面を、ボディ２の内周面と密封カバー１３の外周面との嵌合部としても同様の機能が得ることができる。
【００２４】
このように本実施の形態１によれば、密封カバー１３が、平常時は安定に装着状態を維持して室内外間の気密を保ち、異常時には確実に離脱して消火用流体の放射を行なうことができるという作用を有する。
【００２５】
（実施の形態２）
実施の形態２は請求項１及び３に対応する。図５、図６（ａ）、（ｂ）を用いて説明する。本実施の形態２においては、密封カバー１３のボディ２に対する装着、保持の構造が前記の実施の形態１と異なる。
【００２６】
密封カバー１３はボディ２に取り付けた放射ヘッド３を覆うように下方へ膨出するドーム状であり、上方の端部寄りはストレートな円筒状部１３ａとなっていて、この部分でボディ２の内径のストレートな部分にぴったりと密着して取り付け得る形状である。なお、ボディ２の内径部の前記のストレートな部分は下方開口側をやや大径として段差部２ｈを設け、密封カバー１３を装着する際、位置決めをやりやすくしてあるとともに、密封カバー１３も端部寄りの径を僅かに小さくしたテーパー状としてある。
【００２７】
密封カバー１３の前記テーパー状の部分に、ボディ２に取り付けるための係合爪を形成する。係合爪１３ｃは本実施の形態２では、図６（ａ）に示すように密封カバー１３の円筒状端部に等角度間隔で４箇所、図６（ｂ）に見られるように端部から切り込み１３ｃ１を両側に設けるようにして形成する。また、図５に見られるように、係合爪１３ｃの先端には外方へ向け突起部１３ｄが形成される。
【００２８】
一方、ボディ２には、図５のように、前記実施の形態１同様、内径部に段差２ｈが形成され、また、前記密封カバー１３の係合爪１３ｃの先端の突起部１３ｄに対応する位置にリング状に溝２ｄが設けてある。
【００２９】
８はゴム材などで形成されるＯリングである。ボディ２の内周面壁にリング状に形成した溝２ｊ内に配置し、密封カバー１３の外周面の、ストレートな円筒状部１３ａに接して気密を保つ構造である。リング状の溝２ｄには、密封カバー１３をボディ２に装着した場合、密封カバー１３の係合爪１３ｃの先端の突起部１３ｄが入り込み、装着状態を安定に保持する構造である。
【００３０】
このような構造によってボディ２に対し密封カバー１３を装着時、平常は消火用放射ヘッド３を被うとともに消火用放射ヘッド３を介して連通する室内と室外との空気を気密に遮断することができる。また、Ｏリング８と密封カバー１３外周面１３ａとの摩擦と、溝２ｄと、密封カバー１３の係合爪１３ｃの先端の突起部１３ｄとの係合力とによって装着状態が安定に維持され、地震等の平均的な振動では密封カバー１３は離脱することがない。
【００３１】
前記図５、図６におけるボディ２と密封カバー１３との嵌合部の摩擦面をボディ２の外周面と、密封カバー１３の内周面との嵌合部としても同様の機能を得ることができる。
【００３２】
そして、図示しない感知装置によって火災等の異常が感知され、図示しない消火用流体送出装置によって圧送される消火用流体は１次側配管から接続部の内部室を経て放射ヘッドを通過し密封カバー内室に流入する動作は、前記した実施の形態１と同様であるので記述を省略する。
【００３３】
（実施の形態３）
図９、図１０を用いて説明する。本実施例の形態３においては、天井４に対するボディ２の取り付け構造が前実施の形態１、２と異なっている。つまり、実施の形態１、２における天井４に対するボディ２の取り付け作業は、室外空気環境ｄ側で行なう構造であるのに対し、実施の形態３は、室内空気環境ｃ側で、その取り付け作業を行なうことができる構造としたものである。
【００３４】
具体的には、ボディ２の下方部の内筒状の外周にはネジ２ｂを形成し、また、上方部の外周にはフランジ状に平面部２ｃを延設する。この平面部２ｃと前記ネジ２ｂに螺合されたナット７とを用いて天井４を挟持する形でボディ２を取り付ける。
【００３５】
このように構成した実施の形態３によれば、ボディ２を天井４に取り付ける作業を室内空気環境ｃ側で行なうことができるので、同作用が容易且つ簡単である。尚、図１〜図８と同一符号は同一物を指称する。
【００３６】
【発明の効果】
以上のように本発明の請求項１によれば、室外の消火用流体供給源に連通する配管と、前記配管に連なり室内に向けて開口する消火用放射ヘッドとを備えて建築物天井に気密に取り付けたボディに対し着脱可能であり、装着時、平常は前記消火用放射ヘッドを被うとともに前記消火用放射ヘッドを介して連通する室内と室外との空気を気密に遮断し、異常感知によって送出される前記消火用流体の圧力で離脱する消火用放射ヘッド密封カバーを備えるようにしたので、薬品が接触する室内空気と、その部屋の外部の空気とを完全に遮断することが必要な薬品研究室などに消火用放射ヘッドを設けても、室内空気と、外部の空気とが消火用放射ヘッドを介して流通することがない消火装置を提供することができるという有利な効果が得られる。
【００３７】
また、本発明の請求項２によれば、前記請求項１において、ボディを建築物天井に気密に取り付ける手段は、ボディ端部のフランジ部と、ボディ外周のネジに螺合するナットとで挟持する建築物天井の上下面との間にそれぞれ設けるシールパッキン部材によるものであり、密封カバー装着時、平常は消火用放射ヘッドを被うとともに前記消火用放射ヘッドを介して連通する室内と室外との空気を気密に遮断し、異常感知によって送出される消火用流体の圧力で離脱する手段は、ボディの円筒状内径部又は外径部に形成したリング状の溝に配置したＯリングと、装着時これに密着する密封カバー外周面又は内周面との間の摩擦力及び／又はボディ側面から内径又は外径に向け、バネで付勢される押さえピン又は球体を設け、密封カバー外周面又は内周面に、前記押さえピン先端又は球体の一部に係合する凹部を形成し、この両者の係合による係止力とにより平常時装着状態が保持され、異常時、異常感知によって送出される前記消火用流体の圧力が密封カバー内圧を上昇させることによって前記摩擦力及び係止力に抗して離脱するものである消火用放射ヘッド密封カバーを備えるようにしたので、密封カバーが、平常時は安定に装着状態を維持して室内外間の気密を保ち、異常時には確実に離脱して消火用流体の放射を行なうことができるという有利なこうかが得られる。
【００３８】
また、本発明の請求項３によれば、前記請求項１において、ボディを建築物天井に気密に取り付ける手段は、ボディ端部のフランジ部と、ボディ外周のネジに螺合するナットとで挟持する建築物天井の上下面との間にそれぞれ設けるシールパッキン部材によるものであり、密封カバー装着時、平常は消火用放射ヘッドを被うとともに前記消火用放射ヘッドを介して連通する室内と室外との空気を気密に遮断し、異常感知によって送出される消火用流体の圧力で離脱する手段は、密封カバー端部に、両側にスリットを形成することによって弾性が付与され、先端に凸部を設けた長手の爪状部を複数箇所設け、ボディ内周面又は外周面に、前記爪状部の凸部に係合する凹部を形成し、この両者の係合による係止力により平常時装着状態が保持され、異常時、異常感知によって送出される前記消火用流体の圧力が密封カバー内圧を上昇させることによって前記係止力に抗して離脱するものである消火用放射ヘッド密封カバーを備えるようにしたので、密封カバーが、平常時は安定に装着状態を維持して室内外間の気密を保ち、異常時には確実に離脱して消火用流体の放射を行なうことができるという有利な効果が得られる。
【図面の簡単な説明】
【図１】本発明の実施の形態１における断面図である。
【図２】本発明の実施の形態１における要部の拡大断面図である。
【図３】本発明の実施の形態１における一部省略した上面図である。
【図４】本発明の実施の形態１における消火用ヘッド作動状態の断面図である。
【図５】本発明の実施の形態２における断面図である。
【図６】（ａ）本発明の実施の形態２における一部省略した上面図である。
【図６】（ｂ）本発明の実施の形態２における一部省略した側面図である。
【図７】本発明の実施の形態１における断面図である。
【図８】本発明の実施の形態１における一部省略した上面図である。
【図９】本発明の実施形態３における断面図である。
【図１０】本発明の実施形態３における要部の拡大断面図である。
【図１１】従来の消火装置の説明図である。
【符号の説明】
１      １次側配管
２      ボディ
３      放射ヘッド
４      天井
５、６  シールパッキン
７      ナット
８      Ｏリング
９      押さえピン
１０      圧縮バネ
１１      止めネジ
１２      小孔
１３      密封カバー
【図１】
2004275260.tif 000003
【図２】
2004275260.tif 000004
【図３】
2004275260.tif 000005
【図４】
2004275260.tif 000006
【図５】
2004275260.tif 000007
【図６】
2004275260.tif 000008
【図７】
2004275260.tif 000009
【図８】
2004275260.tif 000010
【図９】
2004275260.tif 000011
【図１０】
2004275260.tif 000012
【図１１】
2004275260.tif 000013